(57)【要約】【課題】発呼者の電話番号を着信拒否の対象に容易に加えることができる携帯端末を提供することを目的とする。【解決手段】携帯端末１は、制御部３０が、通話中か否かを判定し、通話中と判定された場合において、特定のキー操作を受け付けると、発番号記憶領域３２ａに記憶されている発呼者番号を着信拒否の対象リストに追加する。【選択図】図１
2012147123.tif 000002
【特許請求の範囲】
【請求項１】
発呼者番号が予め着信拒否の対象リストに登録された着信拒否の対象となる拒否対象番号のいずれかと一致すると着信拒否を行う携帯端末であって、
通話中か否かを判定する判定部と、
呼び出し信号から発呼者番号を取得して保持する保持部と、
操作を受け付ける受付部と、
通話中と判定された場合において、前記受付部が特定の操作を受け付けた場合、前記保持部に保持されている発呼者番号を着信拒否の前記対象リストに追加する追加処理を行う追加処理部と
を有することを特徴とする携帯端末。
【請求項２】
前記対象リストは、着信拒否の対象となる拒否対象番号と前記拒否対象番号毎に前記着信拒否に付随して行われる付随動作の内容を示す動作情報とを含み、
前記対象リストを記憶している記憶部と、
前記受付部が前記拒否対象番号と前記動作情報とを登録する登録操作を受け付けると前記拒否対象番号と前記動作情報とを関連付けて記憶部に記憶させる登録記憶部と、
発呼者番号が前記拒否対象番号に一致すると判定されると、前記着信拒否を行うとともに前記動作情報を参照して前記付随動作を行う着信拒否部とを備える
ことを特徴とする請求項１記載の携帯端末。
【請求項３】
前記付随動作は、着信呼び出し音を鳴動させない動作、着信表示を消す動作および着信履歴を消去する動作の少なくとも１つである
ことを特徴とする請求項２記載の携帯端末。
【請求項４】
前記記憶部は、更に、前記着信拒否の対象とすることができない拒否不能番号を記憶し、且つ、前記判定部は、更に、着信時に取得した発呼者番号が前記拒否不能番号に一致するか否かを判定するものであって、
前記判定部により発呼者番号が前記拒否不能番号に一致すると判定されると、通話中に前記受付部が受け付ける前記特定の操作を無効とする無効部を備える
ことを特徴とする請求項３記載の携帯端末。
【請求項５】
前記特定の操作の内容を表示する表示装置を備え、
前記無効部は、着信時に前記判定部により発呼者番号が前記拒否不能番号に一致しないと判定されたときに限り、前記表示装置に前記特定の操作の内容を表示させる
ことを特徴とする請求項１乃至４のいずれか１項に記載の携帯端末。
【請求項６】
操作釦画像を表示する表示装置と表示装置の表示画面上に配置されてなるタッチパッドとから構成されるタッチパネルを備え、
前記受付部は、前記タッチパネル上における操作釦画像が表示された位置に対応する領域にタッチされると前記特定の操作を受け付け、
前記無効部は、前記判定部により発呼者番号が前記拒否不能番号に一致すると判定すると、前記タッチパネル上に前記操作釦画像を表示せず、且つ、前記タッチパネル上の前記特定の操作を受け付ける領域への特定の操作を無効とする
ことを特徴とする請求項１乃至４のいずれか１項に記載の携帯端末。
【発明の詳細な説明】
【技術分野】
【０００１】
本発明は、着信拒否機能を有する携帯端末に関する。
【背景技術】
【０００２】
従来から、着信があったときに発呼者の電話番号が記憶部に記憶された電話番号に一致する場合にオフフックを抑止する制御（以下、単に「着信拒否」という。）を行う携帯電話機が提案されている（特許文献１，２参照）。
この携帯電話機は、着信拒否の対象となる電話番号を記憶する記憶部と、ユーザが通話終了後に発呼者の電話番号を着信拒否の対象に加えるための操作を行うと発呼者の電話番号を新たに記憶部に記憶する着信拒否部とを備えている。
【０００３】
また、この携帯電話機は、着信履歴を表示する表示画面を備えており、ユーザが所定の操作を行うことにより、表示画面上に着信履歴を表示することができる。そして、着信拒否部は、ユーザが通話終了後に着信履歴の中から指定した発呼者の電話番号を選択して所定の操作を行うことで、この発呼者の電話番号を新たに記憶部に記憶する。
【先行技術文献】
【特許文献】
【０００４】
【特許文献１】特開平１０−４２０３６号公報
【特許文献２】特開平１１−３１７９８２号公報
【発明の概要】
【発明が解決しようとする課題】
【０００５】
しかしながら、特許文献１に記載された携帯電話機では、通話中に発呼者を着信拒否の対象に加えたい場合、一旦通話を終了してから着信履歴を表示させ、発呼者の電話番号を指定してから、その電話番号を着信拒否動作の対象に追加するための操作を行う必要があり、ユーザが煩わしさを感じることがあった。また、通話を終了してから着信拒否の対象に加えるまでの間に他の発呼者からの電話を受信することにより着信履歴に複数の電話番号が追加されたような場合には、前の発呼者の電話番号を着信履歴の中から指定するのに手間がかかることもあった。
【０００６】
本発明は上記事由に鑑みてなされたものであり、携帯電話機等の携帯端末において、発呼者の電話番号を着信拒否の対象に加えるまでの操作を簡素化することを目的とする。
【課題を解決するための手段】
【０００７】
上記課題を解決するために、本発明は、発呼者番号が予め着信拒否の対象リストに登録された着信拒否の対象となる拒否対象番号のいずれかと一致すると着信拒否を行う携帯端末であって、通話中か否かを判定する判定部と、呼び出し信号から発呼者番号を取得して保持する保持部と、操作を受け付ける受付部と、通話中と判定された場合において、受付部が特定の操作を受け付けた場合、保持部に保持されている発呼者番号を着信拒否の対象リストに追加する追加処理を行う追加処理部とを有する。
【発明の効果】
【０００８】
本発明に係る携帯端末によれば、発呼者の電話番号を着信拒否の対象に加えるまでの操作を簡素化することができる。
【図面の簡単な説明】
【０００９】
【図１】実施の形態に係る携帯端末の通話中における外観を示す図である。
【図２】実施の形態に係る携帯端末の構成図である。
【図３】実施の形態に係る記憶部に記憶されているデータ構造を示す図である。
【図４】実施の形態に係る携帯端末の全体動作を示すフローチャートである。
【図５】実施の形態に係る携帯端末の受付処理を示すフローチャートである。
【図６】実施の形態に係る携帯端末の登録処理を示すフローチャートである。
【図７】変形例に係る携帯端末の動作を示すフローチャートである。
【発明を実施するための形態】
【００１０】
＜実施の形態＞
＜１＞概要
本実施の形態に係る携帯端末１は、基地局（図示せず）から送出される呼び出し信号を受信したときに着信動作または着信拒否を行う。なお、以下の説明では、「着信拒否」とは、オフフックを抑止する制御を意味するものとする。
【００１１】
この携帯端末１は、図１に示すように、筐体２の表面に副液晶ディスプレイ１ａと、タッチパッド２０およびタッチパッド２０の後面側に配置された液晶ディスプレイ２１とからなるタッチパネルとを備えている。液晶ディスプレイ２１には、通話中において、各種キーを示すマーク（例えば、「着信拒否」マーク１ｂ、オフフックマーク１ｃ、オンフックマーク１ｄ）が視認可能に表示されている。
【００１２】
そして、携帯端末１では、通話中であっても「着信拒否」マーク１ｂに指等を接触させることで発呼者の電話番号（発呼者番号、以下、「発番号」と称す。）を着信拒否の対象に追加することができる。
＜２＞構成
携帯端末１は、図２に示すように、基地局との間でアンテナ１１を介して無線信号の送受信を行う通信処理部１０と、タッチパネルと、マイクロフォン６２から入力される音声信号を変換して出力するとともに入力される音声信号をスピーカ６１から出力する処理を行う音声処理部６０と、電話番号等を記憶しておくための記憶部４０と、通信処理部１０等を制御する制御部３０とを備える。なお、スピーカ６１からの音声は、筐体２に設けられた貫通孔２ａを介して筐体２の外部に出力される（図１参照）。
＜２−１＞液晶ディスプレイおよびドライバ
液晶ディスプレイ２１は、ドライバ２２により制御され、図１に示すようなキー配置を示す画像を表示する。ドライバ２２は、制御部３０から入力される画像データに基づいて液晶ディスプレイ２１を制御することで画像データが示す画像を液晶ディスプレイ２１に表示させる。この液晶ディスプレイ２１には、着信拒否マーク１ｂも表示されている（図１参照）。
＜２−２＞タッチパッド
タッチパッド２０は、透明電極で構成されており、液晶ディスプレイ２１上に配置されている。そして、ユーザがタッチパッド２０に指等を接触させると、タッチパッド２０は、タッチパッド２０上における接触位置を示す座標データを制御部３０に入力する。
＜２−３＞通信処理部
通信処理部１０は、基地局との間で無線信号の送受信を行うために信号の変調復調を行う。通信処理部１０は、基地局から送信される呼び出し信号を受信すると復調して制御部３０に入力する。なお、この呼び出し信号には、通信事業者により供されるいわゆる発信番号通知サービスにより発番号等が入れられている。
＜２−４＞記憶部
記憶部４０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性のメモリにより構成され、着信拒否の対象となる拒否対象電話番号および各拒否対象電話番号に対応する着信拒否に付随して行われる付随動作の内容を示す動作情報を記憶する拒否対象電話番号／動作情報格納領域４２と、着信拒否の対象とすることができない拒否不能電話番号を記憶する拒否不能電話番号記憶領域４３と、発番号の履歴を管理する履歴管理領域４６とを有する。
【００１３】
ここで、付随動作とは、オフフックを抑止する制御である着信拒否とともに、或いは直後に行われる動作であり、着信呼び出し音をオフする動作、着信表示をオフする動作および着信履歴を消去する動作がある。
また、記憶部４０には、制御部３０の各機能を実現するためのプログラムを記憶するプログラム記憶領域４４と、液晶ディスプレイ２１に表示される画像を示す画像データを記憶しておく画像記憶領域４１とが設けてある。この画像記憶領域４１には、各種キーの画像を示す画像データや、着信があったときにその旨をユーザに通知するための着信通知画像を示す着信通知画像データ、発番号を着信拒否の対象に追加するか否かをユーザに問う着信拒否対象追加確認画像を示す確認画像データ等が記憶されている。
【００１４】
拒否対象電話番号／動作情報格納領域４２には、図３（ａ）の概念図に示すようなデータテーブル（対象リスト）が記憶されている。このデータテーブルは、項目として、「電話番号」と「着信呼び出し音」と「着信表示」と「着信履歴」とがある。「電話番号」の項目は、着信拒否の対象となる電話番号を示し、「着信呼び出し音」の項目は、着信があったときに呼び出し音を鳴動させるか否かを示す。また、「着信表示」の項目は、着信があったときに着信表示を行うか否かを示し、「着信履歴」の項目は、着信があったときに着信履歴を残すか否かを示す。そして、これらの項目は、制御部３０が追加操作や登録操作を受け付けたときに更新されていく。また、制御部３０が、発番号が着信拒否の対象に該当するか否かを判定するときや着信拒否に付随して行う付随動作を行うときにこのデータテーブルが参照される。
【００１５】
たとえば、電話番号「○○○−○○○−○○○」については、付随動作の内容が、着信呼び出し音「オン」（つまり、着信があった場合に呼び出し音を鳴動させる。）、着信表示「オン」（つまり、着信があった場合に副液晶ディスプレイ１ａ上に着信があったことを通知する表示をさせる。）、着信履歴「残す」（つまり、着信があった場合に履歴として残す。）と登録されている。また、電話番号「△△△−△△△−△△△」および「×××−×××−×××」については、付随動作の内容が、呼び出し音「オフ」（つまり、着信があっても呼び出し音を鳴動させない。）、着信表示「オフ」（つまり、着信があっても副液晶ディスプレイ１ａ上に着信があったことを通知する表示をさせない。）、着信履歴「残さない」（つまり、着信があっても履歴として残さない。）とが登録されている。
【００１６】
拒否不能電話番号記憶領域４３には、着信拒否の対象とすることができない拒否不能電話番号（拒否不能番号ともいう。）のリスト（図３（ｂ））が記憶されている。図３（ｂ）に示す例では、拒否不能電話番号として「□□□−□□□−□□□」、「○○○−×××−△△△」、「○○○−△△△−×××」等が登録されている。
更に、記憶部４０の一部には、発番号を着信拒否の対象に追加するための追加操作が行われたか否かを示す着信拒否フラグＦ１、携帯端末１がオフフックの状態か否かを示すオフフックフラグＦ２、およびユーザが電話番号を新たに登録するか否かを示す登録フラグＦ３の内容が格納されるフラグ領域４５が設けられている。
【００１７】
着信拒否フラグＦ１は、初期状態は「０」に設定されており、制御部３０が通話中に「着信拒否」キーの入力を、つまり、着信拒否を表す操作釦画像１ｃが表示された位置に対応するキー入力受け付けると、「１」に設定される。オフフックフラグＦ２は、初期状態は「０」に設定されており、「オフフック」キーの入力を受け付けると、「１」に設定され、オフフック後「オンフック」キーの入力を受け付けると、「０」に設定される。登録フラグＦ３は、初期状態は「０」に設定されており、制御部３０が通話中でないときに「着信拒否」キーの入力を受け付けると、「１」に設定される。
＜２−５＞制御部
制御部３０は、ＣＰＵ（Ｃｅｎｔｒａｌ  Ｐｒｏｃｅｓｓｉｎｇ  Ｕｎｉｔ）３１と主記憶部３２とから構成され、プログラム記憶領域４４に記憶されているプログラムを主記憶部３２（メモリ）に読み込んで実行することにより、＜３＞で説明する各種処理を実行する。また、主記憶部３２には、発番号を一時的に格納しておくための発番号格納領域３２ａ（一時保持部）が設けられている。
＜３＞動作
＜３−１＞全体動作
図４乃至図６は、プログラム記憶領域４４に格納されているプログラムがＣＰＵ３１に実行させる処理を示したフローチャートである。このうち、図４のフローチャートは、携帯端末１が待ち受け状態にあるときに着信があった場合に実行される処理を示す。
【００１８】
図５のフローチャートは、タッチパッド２０を操作することにより実行される受付処理を示し、携帯端末１が待受け中であるか通話中であるかを問わず、タッチパッド２０が操作されると、図４の処理を実行中のＣＰＵ３１に対して割込みをかけ、ＣＰＵ３１に受付処理を実行させる。
図６のフローチャートは、図５において、ステップＳ６６で登録フラグＦ３が「１」に設定された場合に実行する登録処理を示すものである。
【００１９】
初めに図４のフローチャートに従って携帯端末１の着信時の動作を説明する。
携帯端末１に、電源が投入されると、制御部３０が画像記憶領域４１から各キーの画像データを読み出して予め定めた各位置に配置されるようドライバ２２に入力することにより、液晶ディスプレイ２１に図１に示すような「着信拒否」マーク１ｂを含む各種キーを表示させる。
【００２０】
そして、着信があると（ステップＳ１）、制御部３０が、通信処理部１０から入力される呼び出し信号から発番号に関する情報を取得し（ステップＳ２）、主記憶部３２の発番号格納領域３２ａに格納する。
次に、制御部３０が、取得した発番号と一致する電話番号を、拒否対象電話番号／動作情報格納領域４２に格納されている拒否対象電話番号の中で検索し（ステップＳ４）、検索結果から発番号が着信拒否の対象に該当するか否かを判定する。拒否対象電話番号の中に発番号と一致する電話番号が存在する場合には、制御部３０が、拒否対象電話番号に該当すると判定し、存在しなかった場合には、拒否対象電話番号に該当しないと判定する。
【００２１】
判定結果において、発番号が拒否対象電話番号に該当する場合には（ステップＳ４：Ｙｅｓ）、発呼者（通話先）に対してガイダンスを流し（ステップＳ５）、処理を終了する。このガイダンスは、例えば、「只今、電話に出ることができません。」等の内容のメッセージである。ガイダンスを流す直前に、制御部３０は、拒否対象電話番号に対応付けされた動作情報（図３（ａ）参照）を参照して着信拒否に付随する付随動作を行う。たとえば、発番号が「○○○−○○○−○○○」であれば、図３（ａ）に示すように、付随動作の内容が、着信呼び出し音「オン」、着信表示「オン」、着信履歴「残す」と登録されているので、呼び出し音を鳴動させ、副液晶ディスプレイ１ａ上に着信があったことを通知する表示（着信表示）をし、更に、発番号を履歴に残す付随動作を行った上で、ガイダンスを流す。一方、発番号が「△△△−△△△−△△△」であれば、図３（ａ）に示すように、付随動作の内容が、着信呼び出し音「オフ」、着信表示「オフ」、着信履歴「残さない」と登録されているので、呼び出し音を鳴動させず、副液晶ディスプレイ１ａ上に着信表示をせず、更に、発番号を履歴に残さない付随動作を行った上で、ガイダンスを流す。ここで、発番号を着信履歴に残す付随動作とは、制御部３０が、データテーブルの着信履歴の欄を参照して記憶部４０の履歴記憶領域４６に発番号を記憶させる動作であり、発番号を着信履歴に残さない付随動作とは、制御部３０が、データテーブルの着信履歴の欄を参照して記憶部４０の履歴記憶領域４６に発番号を記憶しない動作である。
【００２２】
一方、ステップＳ４において、発番号が着信拒否対象電話番号に該当しない場合には（ステップＳ４：Ｎｏ）、制御部３０は、副液晶ディスプレイ１ａに着信表示を行う（ステップＳ６）。
続いて、制御部３０は、着信拒否フラグＦ１が「１」に設定されているか否かを確認する（ステップＳ７）。この着信拒否フラグＦ１の設定は、後述する受付処理で行われる。
【００２３】
ステップＳ７において、着信拒否フラグＦ１が「１」に設定されていないと判定される場合（ステップＳ７：Ｎｏ）、更に、オフフックフラグＦ２が「１」に設定されているか否かを確認する（ステップＳ８）。オフフックフラグＦ２は、制御部３０がオフフックの操作を受け付けたときに「１」に設定する。
ステップＳ８において、オフフックフラグＦ２が「１」に設定されていないと判定される場合（ステップＳ８：ＮＯ）、再び、副液晶ディスプレイ１ａに着信表示を行う（ステップＳ６）。一方、ステップＳ８において、オフフックフラグＦ２が「１」に設定されていると判定される場合（ステップＳ８：ＹＥＳ）、通話を開始する（ステップＳ９）。
【００２４】
ステップＳ７において、着信拒否フラグＦ１が「１」に設定されていると判定されると、続いて、制御部３０では、主記憶部３２の発番号格納領域３２ａに格納されている発番号と一致する電話番号が、拒否不能電話番号格納領域に格納されている拒否不能電話番号の中に存在するか否かを確認する（ステップＳ１０）。
発番号と一致する拒否不能電話番号が存在すると判定すると（ステップＳ１０：Ｙｅｓ）、ステップＳ８の処理に移行する。つまり、制御部３０は、発番号が拒否不能電話番号に一致すると判定すると、「着信拒否」キーの入力を受け付けても無効として（つまり、追加操作が行われなかったものとして）処理を進める。
【００２５】
一方、ステップＳ１０において、制御部３０が、発番号と一致する拒否不能電話番号が存在しないと判定すると（ステップＳ１０：Ｎｏ）、発番号を拒否対象電話番号／動作情報格納領域４２に格納することにより（図３（ａ）に示すテーブルに発番号を追加する。）、発番号を着信拒否対象に追加する（ステップＳ１１）。オフフック後再びオンフックされるまでの間、発番号を着信拒否の対象に追加するための追加操作を受け付けると、制御部３０が取得した発番号を記憶部４０の拒否対象電話番号格納領域４１に記憶させることにより、発番号を着信拒否の対象に追加する。
【００２６】
次に、制御部３０は、着信拒否詳細設定を行う（ステップＳ１２）。ここにおいて、制御部３０は、発番号に対応させてデータテーブルの各動作情報にデフォルト値としての、着信呼び出し音「オフ」、着信表示「オフ」、着信履歴「残さない」を強制的に設定する（図３（ａ）参照）。
その後、制御部３０は、発呼者に対してガイダンスを流す（ステップＳ５）。
【００２７】
また、オフフックした後（ステップＳ９）、制御部３０は、着信拒否フラグＦ１が「１」に設定されているか否かを確認する（ステップＳ１３）。
ステップＳ１３において、制御部３０が、着信拒否フラグＦ１が「１」に設定されていないと判定すると（ステップＳ１３：Ｎｏ）、オフフックフラグＦ２が「０」に設定されているか否かを確認する（ステップＳ１６）。このオフフックフラグＦ２は、制御部３０が、オフフック後にオンフックの操作を受け付けたときに「０」に設定される。
【００２８】
制御部３０が、オフフックフラグＦ２が「０」に設定されていないと判定した場合（ステップＳ１６：ＮＯ）には、再びステップＳ１３の処理を行う。
また、ステップＳ１３において、制御部３０は、着信拒否フラグＦ１が「１」に設定されていると判定すると（ステップＳ１２：Ｙｅｓ）、発番号が拒否不能電話番号に該当するか否かを確認する（ステップＳ１４）。つまり、制御部３０は、通話中に、ステップ１３、ステップ１４およびステップ１６を繰り返し判定する。
【００２９】
制御部３０が、発番号が拒否不能電話番号に該当しないと判定すると（ステップＳ１４：Ｎｏ）、オフフックフラグＦ２を「０」に設定するとともに強制的にオンフックにして（ステップＳ１５）、ステップＳ１１以降の処理を行う。
一方、ステップＳ１４において、制御部３０が、発番号が拒否不能電話番号に該当すると判定すると（ステップＳ１４：Ｙｅｓ）、ステップＳ１６の処理に移行する。
【００３０】
制御部３０が、オフフックフラグＦ２が「０」に設定されていると判定すると（ステップＳ１６：Ｙｅｓ）、通信を終了する（ステップＳ１７）。そして、制御部３０の表示制御部が、確認画像データを記憶部４０の画像記憶領域４１から読み出してドライバ２２に入力することで、液晶ディスプレイ２１上に発番号を着信拒否の対象に追加するか否かをユーザに問う着信拒否対象追加確認の表示がなされ（ステップＳ１８）、その後ユーザの入力待ち状態となる（ステップＳ１９）。
【００３１】
入力待ち状態において、ユーザの入力があると（ステップＳ１９：Ｙｅｓ）、制御部３０は、登録フラグＦ３が「１」に設定されているか否かを確認する（ステップＳ２０）。
登録フラグＦ３が「１」に設定されていると判定される場合（ステップＳ２０：Ｙｅｓ）、発番号を着信拒否対象に追加し（ステップＳ２１）、その後、着信拒否詳細設定（ステップＳ２２）を行った後に終了する。
【００３２】
一方、ステップＳ２０において、登録フラグＦ３が「１」に設定されていないと判定すると（ステップＳ２０：Ｎｏ）、そのまま処理を終了する。ここで、処理を終了する際には、全てのフラグＦ１，Ｆ２およびＦ３は、「０」に設定される。
＜３−２＞受付処理
携帯端末１が待ち受け状態にある場合、或いは図４のフローチャートに従って通話処理を行っている場合のいずれかに関わらず、ユーザがタッチパッド２０に指等を接触させる（特定のキー操作を行う）と、割込みを発生して制御部３０が図５のフローチャートに示す受付処理を実行する。
【００３３】
まず、制御部３０は、ユーザがタッチパッド２０に指等を接触させると、割込みを発生するとともにタッチパッド２０から接触位置を示す座標データを得て（ステップＳ６１）、当該座標データに対応するマークの種類を特定する（ステップＳ６２）。ここでは、制御部３０が、画像記憶領域４１に記憶された画像データそれぞれについて予め定めてある配置と対応づけて予め記憶している複数種類のマークの情報から座標データに対応するマーク（以下、対象キーと称す。）の種類を特定する。
【００３４】
そして、制御部３０は、対象キーが「着信拒否」キーであるか否かを確認する（ステップＳ６３）。
制御部３０が、「着信拒否」キーであると判定すると（ステップＳ６３：ＹＥＳ）、制御部３０は、更に、携帯端末が通話中であるか否かを確認する（ステップＳ６４）。
制御部３０が、通話中ではないと判定すると（ステップＳ６４：ＮＯ）、登録フラグＦ３を「１」に設定して（ステップＳ６６）受付処理を終了する。
【００３５】
一方、ステップＳ６４において、携帯端末が通話中であると判定される場合（ステップＳ６４：ＹＥＳ）、制御部３０は、着信拒否フラグＦ１を「１」に設定して受付処理を終了する。
また、ステップＳ６３において、対象キーが「着信拒否」キーではないと判定される場合（ステップＳ６３：ＮＯ）、制御部３０は、更に、対象キーがオフフックキーであるか否かを確認する（ステップＳ６７）。
【００３６】
対象キーがオフフックキーであると判定される場合（ステップＳ６７：ＹＥＳ）、制御部３０は、初期状態で「０」の値をとるオフフックフラグＦ２を「１」に設定して（ステップＳ６８）受付処理を終了する。
一方、ステップＳ６７において、制御部３０が、対象キーがオフフックキーでないと判定すると（ステップＳ６７：ＮＯ）、更に、対象キーがオンフックキーであるか否かを確認する（ステップＳ６９）。
【００３７】
対象キーがオンフックキーであると判定される場合（ステップＳ６９：ＹＥＳ）、制御部３０は、オンフックフラグＦ２を「０」に設定して（ステップＳ７０）受付処理を終了する。
一方、ステップＳ６９において、オンフックキーでないと判定される場合（ステップＳ６９：ＮＯ）、制御部３０は、その他のキー（つまり、「着信拒否」キー、オンフックキーおよびオフフックキー）のいずれでもないキー）それぞれに対応する処理を行って（ステップＳ７１）受付処理を終了する。
＜３−３＞登録処理
携帯端末１が待ち受け状態にある場合、或いは図４のフローチャートに従って通話処理を行っている場合のいずれかに関わらず、定期的に割込みを発生して制御部３０が図６に示す登録処理を実行する。
【００３８】
まず、制御部３０は、登録フラグＦ３が「１」に設定されているか否かを確認する（ステップＳ８１）。
登録フラグＦ３が「１」に設定されていないと判定した場合（ステップＳ８１：ＮＯ）、制御部３０は、登録処理を終了する。
一方、登録フラグＦ３が「１」に設定されていると判定された場合（ステップＳ８１：ＹＥＳ）、制御部３０が副液晶ディスプレイ１ａに登録画面を表示する（ステップＳ８２）。
【００３９】
そして、制御部３０は、ユーザが「ＯＫ」マーク１ｂ（以下、「ＯＫ」キーと称す。）に指等を接触させることにより、「ＯＫ」キーの入力を受け付けたか否かを確認する（ステップＳ８３）。
「ＯＫ」キーの入力を受け付けていないと判定された場合（ステップＳ８３：ＮＯ）、制御部３０は、「ＯＫ」キー以外のキーの入力を受け付けたか否かを確認する（ステップＳ８６）。
【００４０】
「ＯＫ」キー以外のキーの入力を受け付けていない場合（ステップＳ８６：ＹＥＳ）、制御部３０は、再びステップＳ８３の処理に移行する。
一方、ステップＳ８６において「ＯＫ」キー以外のキーの入力を受け付けた場合（ステップＳ８６：ＮＯ）、制御部３０は、登録処理を終了する。
また、ステップＳ８３において、「ＯＫ」キーの入力を受け付けた場合（ステップＳ８３：ＹＥＳ）、制御部３０は、更に、電話番号入力が有ったか否かを確認する（ステップＳ８４）。
【００４１】
電話番号入力が有った場合（ステップＳ８４：ＹＥＳ）、制御部３０は、入力された電話番号を着信拒否の対象として登録して（ステップＳ８５）割込み処理を終了する。一方、ステップＳ８４において、電話番号入力が無かった場合（ステップＳ８４：ＮＯ）、制御部３０は、そのまま登録処理を終了する。
＜変形例＞
（１）前述の実施の形態では、携帯端末１が液晶ディスプレイ２１およびタッチパッド２０から構成されるタッチパネルを備えており、制御部３０が通話中、液晶ディスプレイ２１上にキーを表示させる例について説明したが、これに限定されるものではない。例えば、携帯端末が、表示装置（図示せず）とキー入力装置（図示せず）とを別個に備え、表示装置に表示される表示内容とキー入力装置のハードキーとをプログラム処理で対応付けておき、制御部３０が、特定のハードキーを押下されるとキー操作を受け付けるものであってもよい。
【００４２】
また、本変形例では、制御部３０が、通話中、制御部３０が、表示装置に着信拒否を表すＧＵＩ（グラフィカルユーザインターフェース）としての操作釦画像を表示し、着信時に発番号が拒否不能番号に一致すると判定すると、表示装置に当該操作釦画像を表示しないようにしてもよい。
（３）前述の実施の形態では、図４のステップＳ１４において、発番号と一致する電話番号が、拒否不能電話番号格納領域４３に格納されている電話番号の中に存在しないと判定されると、通話を一旦終了する例について説明したがこれに限定されるものではない。例えば、通話終了を行わずに、着信拒否の対象に追加および着信拒否詳細設定を行うものであってもよい。
【００４３】
本構成によれば、通話を突然切ることなく、以後の着信を拒否できるようにすることができる。
本変形例の動作を示すフローチャートを図７に示す。図７に示すステップＳ１０１乃至ステップＳ１１１の一連の処理は、図４に示した実施の形態１におけるステップＳ６乃至ステップＳ１７の一連の処理に対応している。なお、以下の説明において実施の形態と同様の処理については適宜説明を省略する。
【００４４】
本変形例では、制御部３０が、ステップＳ１０７において着信拒否詳細設定を行った後、制御部３０は、オフフックフラグＦ２が「０」に設定されているか否かを確認し（ステップＳ１１０）、オフフックフラグＦ２が「０」に設定されていないと判定した場合（ステップＳ１１０：ＮＯ）、着信拒否フラグＦ１が「１」に設定されているかを確認する（ステップＳ１０８）。ここで、制御部３０は、着信拒否詳細設定を行った後に、着信拒否フラグＦ１を「０」に設定している。
【００４５】
一方、ステップＳ１１０において、制御部３０は、オフフックフラグＦ２が「０」に設定されていると判定すると（ステップＳ１１０：Ｙｅｓ）、通信を終了する（ステップＳ１１１）。
＜補足＞
（１）実施の形態に係る携帯端末１は、発呼者の電話番号（発呼者番号）が予め着信拒否の対象リストに登録された着信拒否の対象となる拒否対象番号のいずれかと一致すると着信拒否を行う携帯端末１であって、制御部３０が、通話中か否かを判定し、通話中であれば呼び出し信号から発呼者番号を取得して発番号格納領域（保持部）３２ａに保持させる。更に、制御部３０は、通話中と判定された場合、特定の操作を受け付けると、発番号格納領域３２ａに保持されている発呼者番号を着信拒否の対象リストに追加する。
【００４６】
本構成によれば、通話開始後に追加操作を受け付けると発呼者を着信拒否の対象に加えることにより、通話開始後に発呼者を着信拒否の対象に追加することを望む場合に、一旦通話を終了させてから別途発呼者を着信拒否の対象に追加するための操作を行う必要がなくなるので、発呼者番号を着信拒否の対象に加えるまでの操作を簡素化することができる。
【００４７】
（２）実施の形態に係る携帯端末１は、対象リストが、着信拒否の対象となる拒否対象番号と拒否対象番号毎に前記着信拒否に付随して行われる付随動作の内容を示す動作情報とを含み、対象リストを拒否対象電話番号／動作情報格納領域４２に記憶している記憶部４０と、制御部３０が拒否対象番号と動作情報とを登録する登録操作を受け付けると拒否対象番号と動作情報とを関連付けて記憶部４０の拒否対象電話番号／動作情報格納領域４２に記憶させ、発呼者番号が拒否対象番号に一致すると判定すると、着信拒否を行うとともに動作情報を参照して付随動作を行う。
【００４８】
本構成によれば、着信拒否に付随して行われる付随動作の内容を各拒否対象電話番号に対応付けて予め記憶部４０の拒否対象電話番号／動作情報格納領域４２に記憶しておくことにより、拒否対象電話番号毎に別個の付随動作を行わせることが可能となる。
（３）実施の形態に係る携帯端末１では、付随動作が、着信呼び出し音を鳴動させない動作、着信表示をしない動作および着信履歴を消去する動作の少なくとも１つであってもよい。
【００４９】
本構成によれば、携帯端末１に、着信拒否に付随して、着信呼び出し音を鳴動させない、着信表示をしない、或いは着信履歴を消去するのいずれかを行わせることが可能となる。
（４）実施の形態に係る携帯端末１は、記憶部４０が、更に、着信拒否の対象とすることができない拒否不能番号を拒否不能電話番号格納領域４３に記憶し、且つ、制御部３０が、更に、着信時に取得した発呼者番号が拒否不能番号に一致するか否かを判定し、発呼者番号が拒否不能番号に一致すると判定すると、通話中に受け付ける特定の操作を無効とする。
【００５０】
本構成によれば、着信拒否の対象としたくない発呼者との通話中において、誤って発呼者を着信拒否の対象に追加するための追加操作が行われた場合であっても、当該発呼者が着信拒否の対象に追加されてしまうことを防止することができる。
（５）＜変形例＞（１）で説明した携帯端末１は、特定の操作の内容を表示する表示装置（図示せず）を備え、制御部３０が、着信時に発呼者番号が拒否不能番号に一致しないと判定されたときに限り、表示装置に特定の操作の内容を表示させる。
【００５１】
本構成によれば、通話中における不必要な表示をなくすことにより、表示装置の消費電力を低減することができる。
（６）実施の形態に係る携帯端末１は、液晶ディスプレイ２１と液晶ディスプレイ２１の表示画面上に配置されてなるタッチパッドとから構成されるタッチパネルを備えており、制御部３０が、タッチパッド上における液晶ディスプレイ２１に操作釦画像が表示された位置に対応する領域にタッチされると特定の操作を受け付け、発呼者番号が拒否不能番号に一致すると判定すると、液晶ディスプレイ２１上に操作釦画像を表示せず、且つ、タッチパッド上の特定の操作を受け付ける領域への特定の操作を無効とする。
【産業上の利用可能性】
【００５２】
本発明に係る携帯端末は、発呼者番号を着信拒否の対象へ追加する技術に適用される。
【符号の説明】
【００５３】
１    携帯端末
１０    通信処理部
１１    アンテナ
２０    タッチパッド
２１    液晶ディスプレイ（表示装置）
２２    ドライバ
３０    制御部（判定部、受付部、追加処理部）
３１    ＣＰＵ
３２    主記憶部
３２ａ    発番号格納領域（保持部）
４０    記憶部
４１    画像記憶領域
４２    拒否対象電話番号／動作情報記憶領域
４３    拒否不能番号記憶領域
６０    音声処理部
【図１】
2012147123.tif 000003
【図２】
2012147123.tif 000004
【図３】
2012147123.tif 000005
【図４】
2012147123.tif 000006
【図５】
2012147123.tif 000007
【図６】
2012147123.tif 000008
【図７】
2012147123.tif 000009